(57)【要約】【課題】新規の制水扉を不断水にてかつ水中作業を要さずに設置でき、制水扉の点検時や交換時においても水中作業を要しない制水扉の不断水設置工法を提供する。【解決手段】流路管１が貫通するゲート室２に制水扉６，７を不断水にて設置する工法であって、（１）ゲート室２内に複数の分流路４Ａ，４Ｂが形成されるように分流壁５を築造する工程、（２）分流路４Ａ，４Ｂに制水扉６，７を設置する工程、（３）ゲート室２内において流路管１を切断し、分流路４Ａ，４Ｂの少なくともいずれかを通水させる工程、をそれぞれその順序で行う。制水扉６を点検或いは交換するにあたっては、分流路４Ａにおける制水扉６の上流側と下流側とに仮設止水部材を設置して止水状態にて制水扉６を点検或いは交換し、その間、残りの分流路４Ｂを通水させておく。【選択図】図１
2014185510.tif 000002
【特許請求の範囲】
【請求項１】
流路管が貫通するゲート室に制水扉を不断水にて設置する工法であって、
（１）ゲート室内に複数の分流路が形成されるように分流壁を築造する工程、
（２）前記分流路に制水扉を設置する工程、
（３）ゲート室内において前記流路管を切断し、前記分流路を通水させる工程、
をそれぞれその順序で行うことを特徴とする制水扉の不断水設置工法。
【請求項２】
前記（３）の工程後、或る分流路の制水扉を点検或いは交換するにあたり、
当該分流路における制水扉の上流側と下流側とに仮設止水部材を設置して止水状態にて制水扉を点検或いは交換し、その間、残りの分流路を通水させておくことを特徴とする請求項１に記載の制水扉の不断水設置工法。
【請求項３】
流路管が貫通するゲート室に制水扉を不断水にて設置する工法であって、
（１）ゲート室内に、前記流路管の切断跡に形成され、かつゲート設置部屋が画成された第１分流路と、この第１分流路のバイパス路として形成される少なくとも１つの第２分流路と、が形成されるように分流壁を築造する工程、
（２）前記第２分流路に第２制水扉を設置する工程、
（３）前記第２制水扉を開状態にしたうえで、前記ゲート設置部屋を除いて前記流路管を切断し、前記第２分流路を通水させる工程、
（４）前記ゲート設置部屋の上流側と下流側に仮設止水部材を設置したうえで、前記ゲート設置部屋内において流路管残部を切断して第１制水扉を設置する工程、
をそれぞれその順序で行うことを特徴とする制水扉の不断水設置工法。
【請求項４】
前記（４）の工程後、前記第1分流路および第２分流路の内の一方の分流路の制水扉を点検或いは交換するにあたり、
当該分流路における制水扉の上流側と下流側とに仮設止水部材を設置して止水状態にて制水扉を点検或いは交換し、その間、残りの分流路を通水させておくことを特徴とする請求項３に記載の制水扉の不断水設置工法。
【発明の詳細な説明】
【技術分野】
【０００１】
本発明は、制水扉の不断水設置工法に関する。
【背景技術】
【０００２】
上下水道管や灌漑用水の配水管、工業用流体管などの流路管に、水流を必要に応じて止めたりその流量を調整する目的で制水扉を設置する場合、一旦その流れを止めた状態で流路管を切断し、その開口部に制水扉を取り付けるという方法が挙げられる。しかしこの方法は一旦水流を止めなければならないので、設置工事期間中は水が供給されないという問題がある。
【０００３】
この問題に対処した技術として特許文献１に記載の不断水設置工法が挙げられる。当該工法は、（１）流路管が埋設された地盤を掘削し、流路管を露出する工程、（２）掘削された地盤内に流路管を露出させた状態で断面凹字状にコンクリートを打設・養生し、ゲート駆体を形成する工程、（３）前記ゲート駆体内において流路管を切断し、ゲート駆体を介して流路を形成する工程、（４）前記ゲート駆体に扉枠を固定し、この扉枠に制水扉を取り付ける工程、または、ゲ−ト駆体に、予め制水扉が取り付けられた扉枠を固定する工程、をそれぞれその順序で行うものである。この工法によれば、水の流れを断つことなく流路を開閉する制水扉を設置でき、設置工事期間中でも下流に水を供給できる。
【先行技術文献】
【特許文献】
【０００４】
【特許文献１】特開平９−２０９３３９
【発明の概要】
【発明が解決しようとする課題】
【０００５】
しかしながら特許文献１に記載の技術は、ゲ−ト駆体からなるゲート室の空間を流路の一部として使用するため、ゲート室が常に水で満たされることとなる。したがって、制水扉の新規設置時や点検時、交換時には作業者が水の中に入って作業を行うこととなり、手間のかかる作業を要する。
【０００６】
本発明は、このような問題を解決するために創作されたものであり、新規の制水扉を不断水にてかつ水中作業を要さずに設置でき、制水扉の点検時や交換時においても水中作業を要しない制水扉の不断水設置工法を提供することを目的としている。
【課題を解決するための手段】
【０００７】
前記課題を解決するため、本発明は、流路管が貫通するゲート室に制水扉を不断水にて設置する工法であって、（１）ゲート室内に複数の分流路が形成されるように分流壁を築造する工程、（２）前記分流路に制水扉を設置する工程、（３）ゲート室内において前記流路管を切断し、前記分流路を通水させる工程、をそれぞれその順序で行うことを特徴とする。
【０００８】
この制水扉の不断水設置工法によれば、制水扉を新規に設置するにあたり、手間のかかる水中作業を要さずに設置できる。ゲート室には複数の流路が形成されてそれぞれに制水扉が設置されるため、万が一いずれかの制水扉に支障が生じて通水できなくなった場合であっても残りの制水扉を介して通水できる。
【０００９】
また本発明は、前記（３）の工程後、或る分流路の制水扉を点検或いは交換するにあたり、当該分流路における制水扉の上流側と下流側とに仮設止水部材を設置して止水状態にて制水扉を点検或いは交換し、その間、残りの分流路を通水させておくことを特徴とする。
【００１０】
この制水扉の不断水設置工法によれば、制水扉の点検時や交換時においても、不断水状態としたうえで、手間のかかる水中作業を要せずに制水扉の点検或いは交換ができる。
【００１１】
また本発明は、流路管が貫通するゲート室に制水扉を不断水にて設置する工法であって、（１）ゲート室内に、前記流路管の切断跡に形成され、かつゲート設置部屋が画成された第１分流路と、この第１分流路のバイパス路として形成される少なくとも１つの第２分流路と、が形成されるように分流壁を築造する工程、（２）前記第２分流路に第２制水扉を設置する工程、（３）前記第２制水扉を開状態にしたうえで、前記ゲート設置部屋を除いて前記流路管を切断し、前記第２分流路を通水させる工程、（４）前記ゲート設置部屋の上流側と下流側に仮設止水部材を設置したうえで、前記ゲート設置部屋内において流路管残部を切断して第１制水扉を設置する工程、をそれぞれその順序で行うことを特徴とする。
【００１２】
この制水扉の不断水設置工法によれば、制水扉を新規に設置するにあたり、手間のかかる水中作業を要さずに設置できる。ゲート室には複数の流路が形成されてそれぞれに制水扉が設置されるため、万が一いずれかの制水扉に支障が生じて通水できなくなった場合であっても残りの制水扉を介して通水できる。
【００１３】
また本発明は、前記（４）の工程後、前記第1分流路および第２分流路の内の一方の分流路の制水扉を点検或いは交換するにあたり、当該分流路における制水扉の上流側と下流側とに仮設止水部材を設置して止水状態にて制水扉を点検或いは交換し、その間、残りの分流路を通水させておくことを特徴とする。
【００１４】
この制水扉の不断水設置工法によれば、制水扉の点検時や交換時においても、不断水状態としたうえで、手間のかかる水中作業を要せずに制水扉の点検或いは交換ができる。
【発明の効果】
【００１５】
本発明によれば、制水扉を新規に設置するにあたり、または制水扉を点検，交換するにあたり、手間のかかる水中作業を要さない。ゲート室には複数の流路が形成されてそれぞれに制水扉が設置されるため、万が一いずれかの制水扉に支障が生じて通水できなくなった場合であっても残りの制水扉を介して通水できる。
また、複数の分流路にしたことにより、設置するゲートを小さくでき施工性が向上する。
【図面の簡単な説明】
【００１６】
【図１】本発明に係る制水扉の不断水設置工法の説明図であり、ゲート室の上面図である。
【図２】本発明に係る制水扉の不断水設置工法の説明図であり、ゲート室の上面図である。
【図３】図１（ａ）におけるＡ−Ａ断面図である。
【図４】本発明の第１変形例の図である。
【図５】本発明の第２変形例の図である。
【図６】本発明の第２実施形態に係る制水扉の不断水設置工法の説明図であり、ゲート室の上面図である。
【発明を実施するための形態】
【００１７】
図３は図１（ａ）におけるＡ−Ａ断面図である。図１（ａ）および図３において、符号１は流路管でありたとえば地中Ｇに埋設されている。そして、地盤を所定の深さまで掘削して流路管１の一部を露出させるようにしてゲート室２を形成する。ゲート室２はたとえば略方形体状の空間として形成される。符号３はゲート室２を構成する躯体であり、４つの側面部３Ａ，３Ｂ，３Ｃ，３Ｄと底面部３Ｅとを備えている。側面部３Ａ，３Ｄには、それぞれ後記する仮設止水板１１，１２（図２（ｂ））を取り付けるための止水板取付け溝３Ｆが形成されている。躯体３の形成は、たとえば図示しない型枠にコンクリートを流し込んで養生させることにより行われる。流路管１は上流側の側面部３Ａから下流側の側面部３Ｄにかけてゲート室２を貫通するように位置する。
【００１８】
「（１）ゲート室内に複数の分流路が形成されるように分流壁を築造する工程」
本発明は第１の工程として、ゲート室２内に複数の分流路４Ａ，４Ｂが形成されるように分流壁５を築造する。「分流路が形成されるように」とは、後の第３の工程において流路管１を切断したときに、上流側切断口８（図１（ｃ））から下流側切断口９（図１（ｃ））に至る流路が２つ以上形成されることを意味する。
【００１９】
分流壁５の形成も躯体３と同様にたとえば図示しない型枠にコンクリートを流し込んで養生させることにより行われる。分流壁５の築造は、躯体３の築造と同時進行で行ってもよいし、躯体３の築造後に行ってもよい。分流壁５は、躯体３の側面部３Ａ，３Ｄに略平行な壁体として、ゲート室２の略中央位置において底面部３Ｅから立設される。流路管１はこの分流壁５を貫通する。分流壁５の両端はそれぞれ躯体３の側面部３Ｂ，３Ｃから距離を空けて位置する。分流壁５においても、後記する仮設止水板１１，１２を取り付けるための止水板取付け溝５Ａが形成されている。
【００２０】
以上により、後の第３の工程において流路管１を切断したとき、上流側切断口８から下流側切断口９に至る流路は、少なくとも分流壁５を挟んで躯体３の一方の側面部３Ｂ側を経由する分流路４Ａと他方の側面部３Ｃ側を経由する分流路４Ｂとの２つの流路に分かれる。なお、分流壁５と一体となっている流路管残部１Ａも、分流路４Ａ，４Ｂとは別に分流路を構成することとなるが、本実施形態では後記するように止水板１０により塞ぐことにより流路として機能させていない。
【００２１】
「（２）分流路に制水扉を設置する工程」
次いで図１（ｂ）に示すように、第２の工程として、分流路４Ａ，４Ｂにそれぞれ制水扉６，７を設置する。制水扉６，７としては、たとえば特開平８−２６０４４６号公報に記載されているように、躯体に取り付けられる四角枠状の戸当りフレームと、この戸当りフレームにガイドされて上下に開閉する扉体とを備えて、扉体の開閉度により流量を調整する公知構造の制水扉でよく、その詳細な説明は本発明の趣旨から外れるので省略する。
【００２２】
図１（ｂ）では、制水扉６，７を躯体３の側面部３Ａと分流壁５との間に設置した例を示しているが、制水扉６を側面部３Ｂと分流壁５との間、または側面部３Ｄと分流壁５との間に設けてもよい。同様に制水扉７を側面部３Ｃと分流壁５との間、または側面部３Ｄと分流壁５との間に設けてもよい。制水扉６，７を設置する段階では未だ流路管１を切断していないため、水はゲート室２内に流入していない。したがって、作業者は手間のかかる水中作業を要さずに制水扉６，７の設置を行える。
また、制水扉６，７の設置にあたっては、戸当りフレームに対し扉体を閉めた状態で、すなわち、扉体を工場出荷時の全閉状態としたままで設置することができる。したがって、工場出荷時の止水性能が維持されつつ制水扉６，７の設置の精度が向上し、戸当りフレームと制水扉の隙間（クリアランス）を均一にすることができる。
【００２３】
「（３）ゲート室内において前記流路管を切断し、前記分流路を通水させる工程」
次いで図１（ｃ）に示すように、第３の工程として、ゲート室２内において流路管１を側面部３Ａと分流壁５との間および側面部３Ｄと分流壁５との間で切断し、分流路４Ａおよび分流路４Ｂの内の少なくとも一方を、その扉体を開いた状態にしておくことで通水させる。すなわち、流路管１の切断により、側面部３Ａにおいて開口する流路管１の上流側切断口８から水をゲート室２に流入させ、少なくとも分流路４Ａおよび分流路４Ｂの内の少なくとも一方を通って、側面部３Ｄにおいて開口する下流側切断口９から水を流路管１に流れ込ませる。
【００２４】
なお、流路管１の切断作業直後の状態では、分流壁５と一体となっている流路管残部１Ａも分流路の一つとなり得るが、本実施形態では、その後、図２（ａ）に示すように流路管残部１Ａの上流口および下流口を止水板１０により塞いでいる。
【００２５】
以上の第１〜第３の工程を行う制水扉６，７の不断水設置工法によれば、制水扉６，７を新規に設置するにあたり、手間のかかる水中作業を要さずに設置できる。ゲート室２には２つの流路である分流路４Ａ，４Ｂが形成されてそれぞれに制水扉６，７が設置されるため、万が一制水扉６，７のどちらか一方に支障が生じて通水できなくなった場合であっても他方の制水扉を介して通水できる。
【００２６】
そして、第３の工程後、図２（ｂ）に示すように、或る分流路（分流路４Ａ）の制水扉６を点検或いは交換するにあたっては、分流路４Ａにおける制水扉６の上流側と下流側とに仮設止水部材としての仮設止水板１１，１２を設置して分流路４Ａを止水状態にして制水扉６を点検或いは交換する。仮設止水板１１，１２は躯体３の止水板取付け溝３Ｆおよび分流壁５の止水板取付け溝５Ａに嵌入される態様で設置される。仮設止水板１１，１２の設置後、分流路４Ａにおける仮設止水板１１，１２間に溜まっている水はたとえば排水ポンプ等により排水する。その間、残りの分流路４Ｂにおいては、制水扉７を開いた状態にして通水させておく。つまり、流路管１の下流側に水を流しつつ、容易に制水扉６を点検或いは交換できる。逆に、分流路４Ｂの制水扉７を点検或いは交換するにあたっては、分流路４Ｂにおける制水扉７の上流側と下流側とに仮設止水板１１，１２を設置して分流路４Ｂを止水状態にして制水扉７を点検或いは交換する。その間、残りの分流路４Ａにおいては、制水扉６を開いた状態にして通水させておく。
【００２７】
以上のように、本発明によれば、制水扉６，７の点検時や交換時においても手間のかかる水中作業を要せずに制水扉６，７の点検或いは交換ができる。なお、仮設止水部材としては、仮設止水板１１，１２に限定されることなく、土嚢などを用いてもよい。
【００２８】
「変形例」
図４は本発明の第１変形例を示す図である。この第１変形例は、ゲート室２内に３つの分流路４Ａ，４Ｂ，４Ｃを形成した例である。分流路４Ａ，４Ｂは図１、図２に示したものと同じである。第１変形例は、分流壁５と一体となっている流路管残部１Ａを第３の分流路４Ｃとして利用したものである。分流路４Ｃには、たとえば制水扉６，７と同様の構造からなる制水扉１３が設置される。
【００２９】
また、図５は本発明の第２変形例を示す図である。この第２変形例もゲート室２内に３つの分流路４Ａ，４Ｂ，４Ｃを形成した例であるが、流路管残部１Ａについては止水板１０により塞いでこれ以外に別途３つの分流路４Ａ，４Ｂ，４Ｃを形成した例である。この第２変形例では、分流壁が第１分流壁５Ａ，第２分流壁５Ｂの複数から構成されている。
【００３０】
以上２つの変形例においても、本発明の不断水設置工法を適用できる。すなわち、第１の工程において、ゲート室２内に複数の分流路４Ａ，４Ｂ，４Ｃが形成されるように分流壁５を築造し、第２の工程において、分流路４Ａ，４Ｂ，４Ｃに制水扉６，７，１３を設置し、第３の工程において、ゲート室２内において流路管１を切断し、制水扉６，７，１３の内の少なくとも１つの扉体を開けておくことで分流路４Ａ，４Ｂ，４Ｃの内の少なくとも１つを通水させる。以上により、制水扉６，７，１３を新規に設置するにあたり、手間のかかる水中作業を要さずに設置できる。
【００３１】
そして、或る分流路、たとえば分流路４Ａの制水扉６を点検或いは交換するにあたっては、分流路４Ａにおける制水扉６の上流側と下流側とに仮設止水部材（図４、図５では図示せず）を設置して止水状態にて制水扉６を点検或いは交換し、その間、残りの分流路４Ｂ，４Ｃの内の少なくとも一方を通水させておく。これにより、制水扉６を点検或いは交換するにあたり、手間のかかる水中作業を要さずに点検或いは交換でき、この間、流路管１の下流側に常に水を流すことができる。制水扉７，１３の点検或いは交換の場合も同様である。
【００３２】
図６は本発明の第２実施形態を示す図である。なお、前記した実施形態と同じ構成要素については同じ符号を付してその詳細な説明は省略する。ゲート室２はたとえば略方形体状の空間として形成される。符号３はゲート室２を構成する躯体であり、４つの側面部３Ａ，３Ｂ，３Ｃ，３Ｄを備えている。流路管１は上流側の側面部３Ａから下流側の側面部３Ｄにかけてゲート室２を貫通するように位置する。
【００３３】
「（１）ゲート室内に、流路管の切断跡に形成され、かつゲート設置部屋が画成された第１分流路と、この第１分流路のバイパス路として形成される少なくとも１つの第２分流路と、が形成されるように分流壁を築造する工程」
図６（ａ）に示すように、この第２実施形態では、第１の工程として、ゲート室２内に、流路管１の切断跡に形成され、かつゲート設置部屋２１が画成された第１分流路２４Ａと、この第１分流路２４Ａのバイパス路として形成される少なくとも１つの第２分流路２４Ｂと、が形成されるように分流壁５を築造する。
【００３４】
分流壁５の形成は躯体３と同様にたとえば図示しない型枠にコンクリートを流し込んで養生させることにより行われる。分流壁５の築造は、躯体３の築造と同時進行で行ってもよいし、躯体３の築造後に行ってもよい。分流壁５の築造により、第１分流路２４Ａにおいては、ゲート設置部屋２１が画成される。ゲート設置部屋２１は躯体３の側面部３Ｃと分流壁５（分流壁５Ａ，５Ｂ，５Ｃ）とによる四側面により囲まれ、流路管１が貫通した部屋である。
以上により、後の工程において流路管１を切断したとき、上流側切断口８から下流側切断口９に至る流路は、分流壁５を挟んで躯体３の側面部３Ｃ側を経由し、流路管１の切断跡に形成される第１分流路２４Ａと、側面部３Ｂ側を経由する第２分流路２４Ｂとの２つの流路に分かれる。
【００３５】
「（２）第２分流路に第２制水扉を設置する工程」
次いで図６（ｂ）に示すように、第２の工程として、第２分流路２４Ｂに第２制水扉（制水扉７）を設置する。制水扉７はたとえば躯体３の側面部３Ｂと分流壁５との間に設置される。制水扉７を設置する段階では未だ流路管１を切断していないため、水はゲート室２内に流入していない。したがって、作業者は手間のかかる水中作業を要さずに制水扉７の設置を行える。また、制水扉７の設置にあたっては、戸当りフレームに対し扉体を閉めた状態で、すなわち、扉体を工場出荷時の全閉状態としたままで設置することができる。したがって、工場出荷時の止水性能が維持されつつ制水扉７の設置の精度が向上し、戸当りフレームと制水扉の隙間（クリアランス）を均一にすることができる。
【００３６】
「（３）第２制水扉を開状態にしたうえで、ゲート設置部屋を除いて流路管を切断し、第２分流路を通水させる工程」
次いで図６（ｃ）に示すように、第３の工程として、制水扉７を開状態にしたうえで、ゲート設置部屋２１を除いて流路管１を切断する。具体的には、流路管１は、躯体３の側面部３Ａと分流壁５Ｂとにわたる区間と、分流壁５Ｃと躯体３の側面部３Ｄとにわたる区間が切断される。ゲート設置部屋２１には流路管残部１Ａが貫通したまま残る。これにより、上流側切断口８からゲート室２に流入した水は、開状態の制水扉７を介し第２分流路２４Ｂを経由して下流側切断口９に流れる。なお、この段階では、水は第１分流路２４Ａも経由して下流側切断口９に流れる状態となっている。
【００３７】
「（４）ゲート設置部屋の上流側と下流側に仮設止水部材を設置したうえで、ゲート設置部屋内において流路管残部を切断して第１制水扉を設置する工程」
次いで、図６（ｄ）に示すように、第４の工程として、ゲート設置部屋２１の上流側と下流側に仮設止水部材２５、２６を設置したうえで、ゲート設置部屋２１内において流路管残部１Ａを切断して第１制水扉（制水扉６）を設置する。ゲート設置部屋２１の上流側と下流側に仮設止水部材２５、２６を設置することで流路管残部１Ａ内の通水が止まるため、ゲート設置部屋２１内で流路管残部１Ａを切断してもゲート設置部屋２１内には水は流入しない。したがって、作業者は手間のかかる水中作業を要さずにゲート設置部屋２１内において制水扉６の設置を行える。制水扉７の場合と同様、制水扉６の設置にあたっては、戸当りフレームに対し扉体を閉めた状態で、すなわち、扉体を工場出荷時の全閉状態としたままで設置することができる。したがって、工場出荷時の止水性能が維持されつつ制水扉６の設置の精度が向上し、戸当りフレームと制水扉の隙間（クリアランス）を均一にすることができる。
【００３８】
そして、制水扉６の設置後、仮設止水部材２５，２６を取り払うことで、制水扉６が設置された第１分流路２４Ａと、制水扉７が設置された第２分流路２４Ｂとが形成される。以上の第１〜第４の工程を行う制水扉６，７の不断水設置工法によれば、制水扉６，７を新規に設置するにあたり、手間のかかる水中作業を要さずに設置できる。ゲート室２には２つの流路である第１分流路２４Ａ，第２分流路２４Ｂが形成されてそれぞれに制水扉６，７が設置されるため、万が一制水扉６，７のどちらか一方に支障が生じて通水できなくなった場合であっても他方の制水扉を介して通水できる。
【００３９】
そして、第４の工程後、第１分流路２４Ａの制水扉６を点検或いは交換するにあたっては、第１分流路２４Ａにおける制水扉６の上流側と下流側とに仮設止水部材２５，２６を設置して第１分流路２４Ａを止水状態にして制水扉６を点検或いは交換する。仮設止水部材２５，２６の設置後、ゲート設置部屋２１に溜まっている水はたとえば排水ポンプ等により排水する。その間、第２分流路２４Ｂにおいては、制水扉７を開いた状態にして通水させておく。つまり、不断水にて制水扉６を点検或いは交換できることとなる。逆に、第２分流路２４Ｂの制水扉７を点検或いは交換するにあたっては、第２分流路２４Ｂにおける制水扉７の上流側と下流側とに仮設止水部材２７，２８（図６（ｄ））を設置して第２分流路２４Ｂを止水状態にして制水扉７を点検或いは交換する。その間、第１分流路２４Ａにおいては、制水扉６を開いた状態にして通水させておく。つまり、不断水にて制水扉７を点検或いは交換できることとなる。
【００４０】
以上のように、制水扉６，７の点検時や交換時においても手間のかかる水中作業を要せずに制水扉６，７の点検或いは交換ができる。なお、仮設止水部材２５〜２８としては、板状の角落しに限定されることなく、土嚢などを用いてもよい。
【００４１】
以上、本発明の好適な実施形態を説明したが、本発明は図面に記載したものに限定されることなく、その趣旨を逸脱しない範囲で様々な設計変更が可能である。分流路の数は４つ以上にしてもよい。
また、制水扉６，７等の設置後に、躯体３に天井部を設けてゲート室２内を密閉状にし、当該天井部に、制水扉６，７の扉体昇降用の開閉機を設置してもよい。
【符号の説明】
【００４２】
１      流路管
２      ゲート室
３      躯体
４Ａ〜４Ｃ  分流路
５      分流壁
６，７，１３  制水扉
８      上流側切断口
９      下流側切断口
１１，１２  仮設止水板
２１      ゲート設置部屋
２４Ａ    第１分流路
２４Ｂ    第２分流路
【図１】
2014185510.tif 000003
【図２】
2014185510.tif 000004
【図３】
2014185510.tif 000005
【図４】
2014185510.tif 000006
【図５】
2014185510.tif 000007
【図６】
2014185510.tif 000008